(57)【要約】【課題】  携帯通信機１が現場からリモートアクセスし、設計処理装置３と対話形式を取りながらリアルタイムに図面や必要な資料を効率的に作成する。【解決手段】  ナビゲーションソフト８ａ，８ｂを持った設計処理装置３と、事前に図面・資料作成上必要な登録情報・反映情報提示項目毎にそれぞれ複数の選択肢情報を登録するライブラリデータベース４と、サーバ４と、リモートアクセスによりサーバ４を経由して設計処理装置３のナビゲーションソフト８ａ，８ｂを起動する携帯通信機１とを備え、前記設計処理装置３は、ナビゲーションプソフト及び予め定める登録情報・反映情報提示項目順序に従い、当該項目毎に複数の選択肢情報を順次前記携帯通信機１に提示し、複数の選択肢情報の中から必要な情報の選択及び測定長さの情報入力を促し、所定の図面・資料を作成するリモートナビゲーションシステムである。【選択図】図１
2008140025.tif 000002
【特許請求の範囲】
【請求項１】
所定の図面・資料作成用ナビゲーションソフト及びＣＡＤソフトを持った設計処理装置と、
事前に図面・資料作成上必要な複数の登録情報・反映情報提示項目毎にそれぞれ複数の選択肢情報を登録するライブラリデータベースと、
前記設計処理装置及び前記ライブラリデータベースを管理するサーバと、
リモートアクセスにより前記サーバを経由して前記設計処理装置の図面・資料作成用ナビゲーションソフトを起動する携帯通信機とを備え、
前記設計処理装置は、前記ナビゲーションソフト及び予め定める提示項目の順序に従い、当該項目毎に複数の選択肢情報を順次前記携帯通信機に提示し、当該複数の選択肢情報の中から必要な情報の選択及び測定長さの情報入力を促し、所定の図面・資料を作成することを特徴とするリモートナビゲーションシステム。
【請求項２】
前記設計処理装置が持つナビゲーションソフトは、所定の図面・資料を作成するために必要な情報を前記ライブラリデータベースに登録するライブラリナビソフトと、前記ライブラリデータベースに事前登録された選択肢情報及び当該ライブラリナビソフトの実行により登録された情報を用いて、所定の図面・資料を作成するデザインナビソフトとであることを特徴とする請求項１に記載のリモートナビゲーションシステム。
【請求項３】
前記設計処理装置は、前記ライブラリナビソフト及び所定の登録情報提示項目順序に従い、当該項目毎に複数の選択肢情報を順次前記携帯通信機に提示し、当該複数の選択肢情報の中から必要な情報の選択を促す登録情報選択肢提示手段と、この提示手段により選択された情報が前記ライブラリデータベースに存在するか否かを判断するライブラリ有無判断手段と、前記選択された情報が前記ライブラリデータベースに存在するとき、前記所定の図面・資料を作成するための情報として当該前記ライブラリデータベースに順次登録する登録手段と、前記選択された情報が前記ライブラリデータベースに存在しないとき、ネットワーク上に存在する情報を検索し、その検索結果情報を前記携帯通信機に提示し、登録または再検索の選択を促す検索処理手段とを設け、
この検索処理手段によって登録が選択されたときに前記登録手段に移行することを特徴とする請求項１または請求項２に記載のリモートナビゲーションシステム。
【請求項４】
請求項３に記載のリモートナビゲーションシステムにおいて、
前記設計処理装置は、前記選択された情報が前記ライブラリデータベースに存在しないとき、複数の入力種別の選択肢情報を前記携帯通信機に提示し、当該選択肢情報から何れの入力種別の情報を選択するか判断する入力種別判断手段と、前記選択された情報が手入力以外のネットワーク上の情報取得を選択したとき、ネットワーク上に存在する情報を検索し、その検索結果情報を前記携帯通信機に提示し、登録または再検索の選択を促す検索処理手段と、前記選択された情報が手入力を選択されたとき、複数の手入力方法に関する選択肢情報を前記携帯通信機に提示し、複数の手入力方法に関する選択肢情報の中から１つの手入力方法が選択されたとき、当該その１つの手入力方法を前記携帯通信機に提示し、手入力を促す手入力方法提示手段と、この手入力方法提示手段で入力された情報の入力ミスをチェックする入力ミスチェック手段とをさらに付加し、入力ミスが無いときに前記登録手段に移行することを特徴とするリモートナビゲーションシステム。
【請求項５】
前記設計処理装置は、前記デザインナビソフト及び前記所定の図面・資料に反映する所定の反映情報提示項目順序に従い、当該項目毎に複数の選択肢情報を順次前記携帯通信機に提示し、当該複数の選択肢情報の中から必要な情報の選択や文字あるいは測定長さ等の数値情報入力を促す反映情報選択肢提示手段と、この提示手段で選択された情報や入力された文字あるいは測定長さ等の数値情報を受けたとき、それら情報や文字あるいは測定長さ等の数値を判定する必要があるときに限り、当該情報や文字あるいは測定長さ等の数値が判定基準を満たすか否かを判定する基準充足判定手段と、この基準充足判定手段により前記情報や文字あるいは測定長さ等の数値が判定基準を満たすとき及び前記判定の必要無しのとき、前記情報や文字あるいは測定長さ等の数値を前記所定の図面・資料に反映する反映手段とを設けたことを特徴とする請求項１または請求項２に記載のリモートナビゲーションシステム。
【請求項６】
請求項５に記載のリモートナビゲーションシステムにおいて、
前記設計処理装置は、前記基準充足判定手段によって選択された情報や入力された文字あるいは測定長さ等の数値情報が判定基準を満たさないとき、複数の回避策の選択肢情報を前記携帯通信機に提示し、当該複数の選択肢情報の中から必要な回避策の選択を促し、前記判定基準を満たす方向に誘導する回避策提示手段をさらに付加したことを特徴とするリモートナビゲーションシステム。
【請求項７】
前記複数の選択肢情報の前記携帯通信機への提示の中には、前記施行図を作成するために必要な建築図、機械図或いは同業他社の作成した既存図面を含むことを特徴とする請求項１，２，５，６の何れか一項に記載のリモートナビゲーションシステム。
【請求項８】
前記複数の選択肢情報の前記携帯通信機への提示の中には、前記施行図を作成するための修正図面である建築図、機械図或いは同業他社の作成した既存図面を含むことを特徴とする請求項１，２，５，６の何れか一項に記載のリモートナビゲーションシステム。
【請求項９】
前記設計処理装置は、前記反映情報選択肢提示手段によって前記携帯通信機から入力される測定長さの情報を受けたとき、前記ＣＡＤソフトを用いて、所要の図面を作成し、前記ライブラリデータベースに対してレイヤ構造により保存することを特徴とする請求項１，２，５，６の何れか一項に記載のリモートナビゲーションシステム。
【請求項１０】
請求項１ないし請求項９の何れか一項に記載のリモートナビゲーションシステムにおいて、
前記携帯通信機は、現場の状況を撮影する撮影カメラが搭載され、前記設計処理装置からの選択肢情報の提示内容に基づき、必要に応じて前記撮影カメラで撮影された現場の画像を添付し、前記設計処理装置に送信することを特徴とするリモートナビゲーションシステム。
【請求項１１】
請求項１ないし請求項９の何れか一項に記載のリモートナビゲーションシステムにおいて、
前記携帯通信機は、ＧＰＳ機能が搭載され、施行図を作成する設備対象が建築物であるとき、前記設計処理装置からの基準ポイントの入力選択肢情報に基づき、施行図を作成するための基準となる位置合わせポイントの経緯度情報を入力することを特徴とする請求項１，２，５，６の何れか一項に記載のリモートナビゲーションシステム。
【発明の詳細な説明】
【技術分野】
【０００１】
本発明は、携帯端末からパーソナルコンピュータ（以下、ＰＣと呼ぶ）等の設計処理装置を遠隔操作することにより、電気設備工事等に必要な例えば施行図を作成するリモートナビゲーションシステムに関する。
【背景技術】
【０００２】
従来、建築物／機械設備／電気設備等の工事を施行する施行図等を作成するシステムは、幾つか提案されている。
【０００３】
１つの施行図等作成システムは、システム管理装置にインターネットを介して施行側端末が接続され、当該施行側端末からインターネットを介してシステム管理装置に搭載されるカスタマイズされた三次元ＣＡＤソフトを起動し、三次元の基本設計図を作成する。しかる後、三次元の基本設計図から二次元となる例えば平面図等の一般設計図を作成する。引き続き、一般設計図と連動しつつ必要とする施行現場の施行図を作成する。さらに、施行図から部分詳細図を作成するに当たっては、建材データベースから建材部品データを取得し、その建材詳細データをもとに、部屋毎の各部分の詳細納まり図を作成する（特許文献１）。
【０００４】
他のもう１つのシステムは、ＣＡＤを用いて電子回路を設計するコンピュータシステムであって、電子回路に含まれる素子及び配線に関する概略配置・配線情報と、ユーザにより定義されるユーザ要件及びユーザリソースのうち少なくとも一方とに基づいて電子回路の設計制約条件を生成する。そして、素子及び配線の設計に際し、設計制約条件を表示し、当該設計制約条件に含む複数の項目の中から所要とする項目を選択させるためにユーザに入力を促す電子回路の設計手法である（特許文献２）。
【特許文献１】特開２００２−１９７１２６号公報（図２参照）
【特許文献２】特開２００３−０９１５６８号公報（図３参照）
【発明の開示】
【発明が解決しようとする課題】
【０００５】
ところで、従来技術としては、携帯端末からリモートアクセスによりＰＣを起動し、メール閲覧や文章を作成する一般的な技術の他、前述したように建築工事に必要な施行図の作成や電子回路設計のためのＣＡＤナビゲーション技術は開示されているが、現場サイドの携帯通信機から直接ＰＣのＣＡＤソフトを制御し、必要な電気設備工事の施工図を作成するリモートナビゲーションシステムは存在しない。
【０００６】
また、前述した各システムは、ＣＡＤソフトに従って施行図や電子回路図を作成するものであって、例えば施行図を作成する前段階の作業について明確に記載されていない。
【０００７】
すなわち、電気設備等の施行図を作成する場合、設計者が直接施行場所に出向き、必要な情報を収集し、設計会社に持ち帰る。設計者は、施行場所から取得された情報をもとに、既存図面資料や電気設備の仕様等を参照しながら、施行図を作成するものである。
【０００８】
その結果、設計会社に持ち帰って、必要な資料や施行図を作成する段階で、情報の落ち込みや情報不足などによって情報収集が十分でないとか、時間の経過とともに現場の状況が変化した場合、施行図と実際の現場状況との間に相違が発生し易くなり、再度手直しするとか、他の工程に不要な後戻り作業が発生する問題がある。
【０００９】
本発明は上記事情に鑑みてなされたもので、現場に出向き、携帯通信機から設計処理装置にリモートアクセスし、当該設計処理装置に搭載するナビゲーションソフトを利用し、リアルタイムに図面や必要な資料を効率的に作成するリモートナビゲーションシステムを提供することを目的とする。
【課題を解決するための手段】
【００１０】
（１）  上記課題を解決するために、本発明に係るリモートナビゲーションシステムは、所定の図面・資料作成用ナビゲーションソフト及びＣＡＤソフトを持った設計処理装置と、事前に図面・資料作成上必要な複数の情報・反映提示項目毎にそれぞれ複数の選択肢情報を登録するライブラリデータベースと、前記設計処理装置及び前記ライブラリデータベースを管理するサーバと、リモートアクセスにより前記サーバを経由して前記設計処理装置の図面・資料作成用ナビゲーションソフトを起動する携帯通信機とを備え、前記設計処理装置は、前記ナビゲーションプソフト及び予め定める情報提示項目の順序に従い、当該項目毎に複数の選択肢情報を順次前記携帯通信機に提示し、当該複数の選択肢情報の中から必要な情報の選択及び測定長さの情報入力を促し、所定の図面・資料を作成する構成である。
【００１１】
前述したナビゲーションソフトは、所定の図面・資料を作成するために必要な情報を前記ライブラリデータベースに登録するライブラリナビソフトと、前記ライブラリデータベースに事前登録された選択肢情報及び当該ライブラリナビソフトの実行により登録された情報を用いて、所定の図面・資料を作成するデザインナビソフトとからなる。
【００１２】
（２）  前記設計処理装置は、ライブラリナビソフトとの連携による機能構成の一例としては、当該ライブラリナビソフト及び所定の登録情報提示項目順序に従い、当該項目毎に複数の選択肢情報を順次前記携帯通信機に提示し、当該複数の選択肢情報の中から必要な情報の選択を促す登録情報選択肢提示手段と、この提示手段により選択された情報が前記ライブラリデータベースに存在するか否かを判断するライブラリ有無判断手段と、前記選択された情報が前記ライブラリデータベースに存在するとき、前記所定の図面・資料を作成するための情報として当該前記ライブラリデータベースに順次登録する登録手段と、前記選択された情報が前記ライブラリデータベースに存在しないとき、ネットワーク上に存在する情報を検索し、その検索結果情報を前記携帯通信機に提示し、登録または再検索の選択を促す検索処理手段とを設け、この検索処理手段によって登録が選択されたときに前記登録手段に移行し、順次情報を登録する構成である。
【００１３】
また、前記設計処理装置は、デザインナビソフトとの連携による機能構成の一例としては、当該デザインナビソフト及び前記所定の図面・資料に反映する所定の反映情報提示項目順序に従い、当該項目毎に複数の選択肢情報を順次前記携帯通信機に提示し、当該複数の選択肢情報の中から必要な情報の選択や測定長さの情報入力を促す反映情報選択肢提示手段と、この提示手段で選択された情報や入力された測定長さ情報を受けたとき、それら情報や測定長さを判定する必要があるときに限り、当該情報や測定長さが判定基準を満たすか否かを判定する基準充足判定手段と、この基準充足判定手段により前記情報や測定長さが判定基準を満たすとき及び前記判定の必要無しのとき、前記情報や測定長さを前記所定の図面・資料に反映する反映手段とを設けた構成である。
【発明の効果】
【００１４】
本発明によれば、現場に出向き、携帯通信機から設計処理装置にリモートアクセスし、当該設計処理装置に搭載するナビゲーションソフトを利用し、リアルタイムに図面や必要な資料を効率的に作成することにより、必要な情報を確実に収集でき、作成すべき図面と実際の現場状況との間に相違をなくし、後で不要な作業を発生させずに所要の図面・資料を作成することができる。
【発明を実施するための最良の形態】
【００１５】
以下、本発明の一実施の形態について図面を参照して説明する。  
図１は本発明に係るリモートナビゲーションシステムの一実施の形態例を示す全体構成図である。
【００１６】
リモートナビゲーションシステムは、携帯通信機１と、例えばインターネット２ａ，社内イントラネット２ｂ等の通信ネットワーク２と、この通信ネットワーク２を介して携帯通信機１との間で必要な情報をやり取りしながらナビゲーション処理を実行し、施行図や作業要領書等を作成処理する例えばＰＣで構成される設計処理装置３と、予めナビゲーション処理に必要な各種の情報を登録し保存する設計会社，設計事務所等に設置される設計専用の社内ライブラリデータベース４と、前記設計処理装置３及び社内ライブラリデータベース４を管理し、当該社内ライブラリデータベース４から必要な情報を取り出して提供する社内サーバ５とで構成される。６は設計会社，設計事務所等の組織全体で共有する情報を保存する社内共有データベース、７ａ，７ｂ、…，７ｎはインターネット２ａに接続され、不特定多数からの情報要求に応じて要求情報を提供する社外データベースである。
【００１７】
携帯通信機１は、携帯電話、ＰＨＳ，モバイル形計算機等に相当し、表示部１ａ及び操作部１ｂを有する他、現場の状況を撮影する撮影カメラ１ｃ及び衛星電波を利用して現在位置を測定するＧＰＳ機能を備え、所定の通信プロトコルに従って文字・数値情報だけでなく、音声情報、画像情報、経緯度情報を伝送する。また、携帯所持者は、携帯通信機１の操作部１ｂを操作しつつ、設計処理装置３に対してリモートアクセスし、当該設計処理装置３へのリモート制御、プログラムの起動・停止、データ入力、作図等の処理を行う。
【００１８】
携帯通信機１は、設計処理装置３が１００ｍ以内の距離に存在する場合、無線ＬＡＮあるいはBluetooth（登録商標）による無線通信を介して設計処理装置３へリモートアクセスするが、設計処理装置３が１００ｍを越える遠距離に存在する場合、直近の基地局あるいは無線ＬＡＮなどからインターネット２ａを介して設計会社、設計事務所等に設置される設計処理装置３へリモートアクセスする。
【００１９】
設計処理装置３には記憶装置８が設けられている。記憶装置８には、少なくともライブラリナビプログラム（以下、ライブラリナビソフトと呼ぶ）８ａ及びデザインナビプログラム（以下、デザインナビソフトと呼ぶ）８ｂが格納され、その他必要に応じて三次元ＣＡＤ（Computer  Aided  Design）プログラム（以下、ＣＡＤソフトと呼ぶ）８ｃが格納されている。また、記憶装置８には、ライブラリナビソフト８ａの実行時に情報の登録情報提示項目順序を規定する登録情報提示項目順序テーブル８ｄ及びデザインナビプログラム８ｂの実行時に施行図や作業要領書に必要情報を反映していく順序を規定する反映情報提示項目順序テーブル８ｅが設けられている。なお、記憶装置８にＣＡＤソフト８ｃが格納されていない場合、社内ライブラリデータベース４などに格納される。
【００２０】
ライブラリナビソフト８ａは、設計会社や設計事務所の担当者が設計処理装置３または携帯通信機１からデザインナビソフト８ｂの処理に必要な情報を社内ライブラリデータベース４に登録する情報登録作業ソフトである。これは、携帯所持者が現場で登録する作業を極力低減することにある。
【００２１】
一方、デザインナビソフト８ｂは、施行図や作業要領書等を作成処理するものであって、例えば対象施設や設備の選択、使用する図面の選択、撤去物の選択、設置場所の選択、設置方法の選択等が挙げられる。
【００２２】
社内ライブラリデータベース４には、予め事前に設計処理装置３がライブラリナビソフト８ａを実行するための情報及びデザインナビソフト８ｂを実行するための情報が登録される。
【００２３】
すなわち、ライブラリナビソフト８ａを実行するために必要な事前の情報登録項目としては、情報の登録順序を規定する登録情報提示項目順序テーブル８ｄに依存するが、例えば建築，機械、電気に関る法令・規格等の一般的な基準法令、施設・場所・設備工事の対象となる設備機器に関する固有仕様（特性，機能）、施行図作成に必要な既設設計図面等である。また、社内ライブラリデータベース４には、携帯通信機１に選択肢を提示する必要から、例えば製番、作業種（例えば電気／機械／建築等）、設備機器（電気機器の場合には、盤類／計算機／電路部材／配線材料／その他）、設備機器名称、その他必要な情報が登録される。なお、既存設計図面は、デザインナビソフト８ｂにおける作図用の参考図、或いは原図とされ、例えば建物の外形図、各階ごとの部屋平面図ごと、さらに新規作成図面とともに、レイヤ（階層）構造により保存される。なお、建物等の既存設計図面は、施工主から提供され、同一建物の主要な図面には基準となる位置合わせ可能なポイントの経緯度情報を持っている。
【００２４】
また、デザインナビソフト８ｂを実行するために必要な事前の登録情報反映項目としては、施行図や作業要領書に必要情報を反映していく順序を規定する反映情報提示項目順序テーブル８ｅに依存するが、例えば携帯通信機１へ選択肢を提示する観点から、例えば作業選択（新規作図／図面修正／測量／その他）、作図選択（線分／部品／その他）、対象物選択（建屋／部屋／機械設備／電気設備／その他）、部屋名称（高圧電気室／低圧電気室／制御盤／その他）、部屋形状（丸／三角／四角／Ｌ形／その他）、室内条件、扉の数その他必要な各種の情報が登録される。
【００２５】
設計処理装置３は、ライブラリナビソフト８ａを実現するために、図２に示すような機能ブロックで構成される。すなわち、設計処理装置３は、ライブラリナビソフト８ａ及び登録情報提示項目順序テーブル８ｄに記述される登録情報提示項目順序に従い、デザインナビプログラム８ｂの処理に必要な登録情報提示項目毎に複数の選択肢情報を携帯通信機１に提示し、その中の１つの選択を促す登録情報選択肢提示手段３１０と、この提示手段３１０で選択された登録提示項目の情報が既に社内ライブラリデータベース４に存在するか否かを判断するライブラリ有無判断手段３１１と、登録提示項目の情報が社内ライブラリデータベース４の設計対象の製番ないし対象設計図面に対応して既に登録されている場合には上書きまたはそのまま登録し、また、社内ライブラリデータベース４に存在しない場合には他のルートで確定される登録提示項目の情報を社内ライブラリデータベース４に新たに登録する登録手段３１２が設けられている。
【００２６】
設計処理装置３は、登録提示項目の情報が社内ライブラリデータベース４に存在しない場合、手入力／手持ち電子情報／ネットワーク検索の複数の選択肢を携帯通信機１に提示し、その中の１つの選択を促した結果情報を判断する入力種別判断手段３１３と、この判断結果から手入力でない場合には手持ち電子情報またはネットワーク検索による検索処理を実施し、その検索結果を携帯通信機１に提示し、適切な検索結果であるか選択を促す検索処理手段３１４と、前記入力種別判断手段３１３の判断結果から手入力である場合には手入力方法を提示する手入力方法提示手段３１５と、手入力方法に従って入力される情報の入力ミスをチェックする入力ミスチェック手段３１６とが設けられている。
【００２７】
なお、設計処理装置３の他の例としては、前記登録情報選択肢提示手段により選択された情報が社内ライブラリデータベース４に存在しないとき、手入力／手持ち電子情報／ネットワーク検索の複数の選択肢を提示することなく、直ちにネットワーク上に存在する情報を検索し、その検索結果情報を前記携帯通信機に提示する構成であっても構わない。
【００２８】
設計処理装置３は、デザインナビソフト８ｂを実現するために、図３に示すような機能ブロックで構成される。すなわち、設計処理装置３は、反映情報選択肢提示手段３１７、基準充足判定手段３１８、施行図反映手段３１９及び回避策提示解決手段３２０とで構成される。反映情報選択肢提示手段３１７は、デザインナビプログラム８ｂ及び反映情報提示項目順序テーブル８ｅに記述される反映情報提示項目順序に従い、複数の選択肢情報を携帯通信機１に提示し、その中の１つの選択肢の選択や測定長さの入力を促す処理を行う。基準充足判定手段３１８は、この選択された情報や入力された測定長さに関して判定必要ありの場合には判定基準を満たすか否かを判定する。施行図反映手段３１９は、選択された情報や入力された測定長さの判定必要なしの場合、または判定基準を満たした場合に選択された選択肢を施行図の作成に反映する機能を持っている。回避策提示解決手段３２０は、基準充足判定手段３１８により判定基準を満たさない場合には回避策選択肢を携帯通信機１に提示し、その中の１つの選択肢の選択を促し、或いは携帯所持者からの回避策の提案を受付けて判定基準を満たすように方向に誘導する機能を持っている。
【００２９】
社内サーバ５は、ライブラリナビソフト８ａまたはデザインナビソフト８ｂの一連の処理段階時に設計処理装置３からの情報要求に基づき、社内ライブラリデータベース４から要求内容に応じた情報を読み出し、要求元である設計処理装置３に提供する。
【００３０】
社内共有データベース６には、設計会社や設計事務所全体等の組織全体で共有する情報を格納するが、その情報の中にはナビゲーション処理に必要な情報が格納されている。ナビゲーション処理に必要な情報としては、例えば過去の受注実績から予め受注を受ける客先の情報，客先名称、施設名称、住所、氏名、電話番号、顧客担当所属、担当氏名、社内識別データ、その他各種の情報がある。これらの情報はナビゲーション処理時に利用される。
【００３１】
社外データベース７ａ，７ｂ，…，７ｎは、不特定多数の要求に応じて、有償・無償で情報を提供するものであって、ナビゲーション処理に必要な情報，例えばＣＡＤ図等のダウンロードが挙げられる。
【００３２】
次に、以上のようなリモートナビゲーションシステムの動作について説明する。ここでは、例えば高圧電気室に受電盤を配置する例のナビゲーション処理について、図面を参照して説明する。なお、図４はデザインナビソフト８ｂを実行するに先立ち、建築物の平面図として、既に高圧電気室１１の間取りと共に図示されていないがコンセント、照明器具Ａ１及び照明分電盤Ｌ１などの付帯設備が明記されているものであり、このような高電圧電気室１１に対して、受電盤１２を配置しようとする例図である。図５はライブラリナビソフト８ａあるいはデザインナビソフト８ｂ等で登録された情報に基づいて受電盤１１を配置した例図である。１３は継電器盤、１４は変圧器盤である。なお、図２に示す原図となる既存ＣＡＤ図面等が施工主から提供され、同一施設にて各部屋とも必要な長さが規定され、かつ、基準となる位置合わせ可能なポイントが設定され、ライブラリデータベース４にレイヤ構造によって保存されている。
【００３３】
（１）  ライブラリナビソフト８ａによるナビゲーション処理について（図６参照）。
【００３４】
なお、ライブラリナビソフト８ａの基本的な処理は、設計処理装置３が各設備単体，例えば受電盤１２，継電器盤１３，変圧器盤１４ごとに順次選択肢情報を携帯通信機１に提示し、携帯所持者による携帯通信機１の選択操作により順次選択された情報を登録していく処理である。
【００３５】
設計会社等の担当者は、携帯通信機１から社内サーバ５にリモートアクセスし、通信路を確立する。携帯通信機１は、ナビゲーションソフトの起動指示情報を送信する。この起動指示は、社内サーバ５を経由して設計処理装置３の動作を開始させ、ナビゲーションソフトを起動し、記憶装置８に格納されるライブラリナビソフト８ａ及びデザインナビソフト８ｂを選択肢情報として携帯通信機１に提示し、ライブラリナビソフト８ａを選択させ、ライブラリナビソフト８ａを起動する（Ｓ１）。具体的には、図６に参照済み。
【００３６】
設計処理装置３は、ライブラリデータベース４及び登録情報提示項目順序テーブル８ｄに記述される登録情報提示項目順序に従い、以下のような一連の処理を実行する
先ず、設計処理装置３は、登録情報選択肢提示手段３１０を実行する。登録情報選択肢提示手段３１０は、例えば建築／機械／電気に関する法令、規則等の一般的な基準法令の必要有／無情報の選択肢情報を携帯通信機１に提示し（Ｓ２）、表示部１ａに表示する。ここで、電気設備分野の受電盤１２を配置することから、電気に関する法令が必要である場合には電気に関する法令の他、必要に応じて建築物に関する法令を選択入力する（Ｓ３）。
【００３７】
引き続き、設計処理装置３はライブラリ有無判断手段３１１を実行する。ライブラリ有無判断手段３１１は、社内サーバ５を介して社内ライブラリデータベース４の中の受電盤１２に関して電気に関する法令が登録されているか否かを判断する（Ｓ４）。設計処理装置３は、登録されていると判断されたとき、登録手段３１２を実行する。
【００３８】
登録手段３１２は、社内ライブラリデータベース４に電気に関する法令が登録されている場合には、上書きするか、そのままとするかの選択肢を携帯通信機１に送信し（Ｓ５）、表示部１ａに表示する。携帯所持者は、携帯通信機１の操作部１ｂを操作し、上書きまたはそのままの何れかを選択入力する（Ｓ６）。設計処理装置３は、携帯通信機１から選択入力された指示に従い、上書きまたはそのまま登録する（Ｓ７）。そして、設計処理装置３は、登録終了かを判断し（Ｓ８）、未だ登録終了でない場合には次の必要項目の選択肢を提示するためにステップＳ２に戻る。
【００３９】
一方、ステップＳ４において、社内ライブラリデータベース４に登録されていないと判断された場合には、携帯通信機１で選択された情報を優先登録するか否かを判断し（Ｓ９）、優先登録する場合にはステップＳ７に移行し、入力された製番を登録する。優先登録しない場合には入力種別判断手段３１３を実行する。
【００４０】
入力種別判断手段３１３は、優先登録しないと判断されたとき、手入力／電子情報／ネットワーク検索の情報（選択肢）を携帯通信機１に送信し（Ｓ１１）、表示部１ａに表示する。ここで、携帯所持者は、受電盤１２に関する法令に関し、手入力困難と判断したとき、手入力以外の１つの選択肢情報を選択入力する（Ｓ１２）。
【００４１】
設計処理装置３は、手入力以外と判断されたとき（Ｓ１３）、検索処理手段３１４を実行する。検索処理手段３１４は、複数の情報源を選択肢情報として提示する（Ｓ１４）。つまり、社内データベース６の名称／インターネット（社外データベース７ａ，７ｂ，…，７ｎ）のアドレスを提示する。携帯所持者は、社外データベース７ａ，７ｂ，…，７ｎのアドレスを選択する場合、携帯通信機１の操作部１ｂを操作し、受電盤１２を配置する法令情報を提供する例えば社外データベース７ａアドレスを選択入力する（Ｓ１５）。ここで、設計処理装置３は、インターネットアドレスから検索可能か否かを判断し（Ｓ１６）、検索可能であれば、検索を実施し、検索結果及び選択肢を送信して携帯通信機１の表示部１ａに表示する（Ｓ１７，Ｓ１８）。なお、選択肢としては、登録するか、再検索するかを提示する。携帯所持者は、携帯通信機１の操作部１ｂを操作し、再検索または登録を選択入力する（Ｓ１９）。
【００４２】
設計処理装置３は、再検索か否かを判断し（Ｓ２０）、再検索による選択受信の場合にはステップＳ１４に戻り、再度、携帯通信機１に対して情報源の選択入力を促し、また登録選択受信の場合にはステップＳ７に戻り、インターネットアドレスとともに、受電盤１２に関する法令情報を社内ライブラリデータベース６に登録した後、次の必要項目の選択肢を提示するためにステップＳ２に戻る。
【００４３】
なお、ステップＳ１１において、携帯所持者は、携帯通信機１の操作部１ｂを操作し、手入力を選択した場合、設計処理装置３は、手入力方法提示手段３１５を実行する。手入力方法提示手段３１５は、ステップＳ１３にて手入力であると判断されたとき、幾つかの手入力方法を選択肢として提示し（Ｓ２１）、携帯通信機１の表示部１ａに表示する。携帯所持者は、携帯通信機１の操作部１ｂを操作し、１つの手入力方法を選択入力する（Ｓ２２）。
【００４４】
設計処理装置３は、当該１つの手入力方法を選択受信すると、当該手入力方法に関する指示情報を送信し（Ｓ２３）、携帯通信機１の表示部１ａに表示する。携帯所持者は、携帯通信機１の操作部１ｂを操作し、指示情報に従って手入力していく（Ｓ２４）。
【００４５】
設計処理装置３は、手入力方法に関する指示情報の手入力を受けると、入力ミスチェック手段３１６を実行する。
【００４６】
入力ミスチェック手段３１６は、手入力された内容にミスがないか否かを判断し（Ｓ２５）、入力ミスと判断されたとき、エラー表示及び再入力指示情報を携帯通信機１に送信し（Ｓ２６）、ステップＳ２４にて再入力を促す。
【００４７】
引き続き、登録情報提示項目順序テーブル８ｄに記述される登録情報提示項目順序に従って次の項目である製番（製造番号）の有／無情報の選択情報を携帯通信機１に送信し（Ｓ２）、表示部１ａに表示する。なお、最初に製番（製造番号）の有／無情報の選択情報を提示し、後記する電気設備として受電盤１２が選択された後に電気設備または受電盤１２に関する法令の必要有無の選択肢情報を提示する順序であってもよい。
【００４８】
ここで、携帯所持者は、製番（製造番号）の有／無情報の選択情報の提示に対し、製番有りの場合には、操作部１ｂを操作し、製番有り情報を選択入力した後、操作部１ｂから製番を表す例えば英数字情報を入力する（Ｓ３）。設計処理装置３は、社内サーバ５を介して社内ライブラリデータベース４に該当製番が登録されているか否かを判断し（Ｓ４）、登録されている場合にはステップＳ６ないしステップＳ８の一連の処理を実行する。社内ライブラリデータベース４に該当製番が登録されていない場合、新規に優先登録するか判断し、優先登録する場合にはステップＳ７に移行し、新規に製番を登録する。優先登録しない場合にはステップＳ１１以降に進む。
【００４９】
さらに、テーブル８ｄに記述される登録情報提示項目順序に従い、作業種である建築設備／機械設備／電気設備を選択肢情報として提示し、同様の処理を実行し、「電気設備」を社内ライブラリデータベース４に登録する。引き続き、電気設備を登録した後、設備種類である盤類／計算機／電路部材・配線材料を選択肢として提示し、同様の処理を実行し、「盤類」を社内ライブラリデータベース４に登録する。盤類を登録後、盤名称である受電盤／変圧器盤／制御盤を選択肢として提示し、同様の処理を実行し、「受電盤」を社内ライブラリデータベース４に登録する。
【００５０】
以上のようにして受電盤に関する固有仕様（特性，機能）、必要に応じて施行図作成に必要な受電盤の配置に関する既存設計図面等を順次社内ライブラリデータベース４に登録していく。
【００５１】
従って、以上のような実施の形態によれば、デザインナビソフト８ｂによるデザインナビゲーション処理（例えば受電盤に関する施行図を作成する処理）に必要な情報を社内ライブラリデータベース４に確実に登録でき、現場にて設備機器（受電盤）に関する施行図を作成する際に必要とする情報を社内ライブラリデータベース４から容易に入手できる。その結果、現地での情報登録作業時間が短縮され、かつ、入力ミスがなくなり、デザインナビソフト８ｂの実行をスムーズに進捗させることが可能となる。
【００５２】
（２）  デザインナビソフト８ｂによるナビゲーション処理について（図７〜図１１参照）。
【００５３】
設計処理装置３は、デザインナビソフト８ｂ及び反映情報提示項目順序テーブル８ｅに規定される反映情報提示項目順序に従い、例えば以下のような一連の処理を実行する。
【００５４】
設計会社等の担当者は、施行図設計現場に出向き、携帯通信機１から社内サーバ５にリモートアクセスし、通信路を確立する。そして、携帯通信機１は、ナビゲーションソフトの立ち上げ指示情報を送信する。この起動指示は、社内サーバ５を経由して設計処理装置３の動作を開始させ、ナビゲーションソフトを立ち上げる（Ｓ３１）。ここで、設計処理装置３によるナビゲーション処理が開始し（Ｓ３２）、ライブラリナビ／デザインナビの選択肢を携帯通信機１に提示し、表示部１ａに表示する（Ｓ３３）。
【００５５】
携帯所持者が携帯通信機１の操作部１ｂを操作し、ライブラリナビを選択すれば、前述した図６によるライブラリナビソフト８ａの処理に移行する（Ｓ３４）。携帯所持者が携帯通信機１の操作部１ｂを操作し、デザインナビを選択すれば、設計処理装置３は、デザインナビソフトを起動する。
【００５６】
ここで、設計処理装置３は、図３に示す反映情報選択肢提示手段３１７を実行する。反映情報選択肢提示手段３１７は、反映情報提示項目順序テーブル８ｅに規定される反映情報提示項目順序に従い、物件を特定するための、製番／年度／施設／客先／その他の選択肢情報を携帯通信機１に送信し、表示部１ａに図８に示す選択肢画面（ア）を表示する（Ｓ３５）。ここで、携帯所持者が「製番」を選択するとともに（Ｓ３６）、製番「Ｔ１２３９８７」を入力し画面表示し（イ）、確認を行う。なお、図に示す＊印は選択情報を意味する。携帯通信機１による「製番」の選択及び製番「Ｔ１２３９８７」は設計処理装置３に送られ、施行図を作成するための物件が特定される。なお、既にライブラリナビソフト８ａの実行により「製番」が登録されていれば、「製番」を選択した段階で既に登録されている製番を用いる。
【００５７】
設計処理装置３は基準充足判定手段３１８を実行する。基準充足判定手段３１８は、製番「Ｔ１２３９８７」を受け取ると、選択結果について判定する必要が有るか否かを判断し（Ｓ３７）、判定必要と判断された場合には判定基準を満たすか否かを判定する（Ｓ３８）。ここで、判定基準とは、例えばライブナビソフト８ａの実行により登録された建築物同士、建築物と電気機械設備、設備同士の干渉を避けるために必要な距離等の制約条件であり、社内ライブラリデータベース４に登録された電気設備に関する基準法令に基づき判断される。
【００５８】
設計処理装置３は施行図反映手段３１９を実行する。施行図反映手段３１９は、製番が入力されただけであり、距離と無関係であるので、判定必要なしと判断され、製番「Ｔ１２３９８７」が施行図に反映される（Ｓ３９）。そして、反映処理終了かを判断し（Ｓ４０）、処理終了でなければステップＳ３５に移行する。
【００５９】
引き続き、設計処理装置３は、製番「Ｔ１２３９８７」を反映させた後、作業選択、作図作業の選択、作図対象の選択、部屋名称の選択、部屋形状の選択に関する処理を繰り返しながら携帯通信機１に選択肢情報を提示し、表示部１ａに選択肢画面（ニ）〜（ク）を表示し、これら画面（ニ）〜（ク）内の＊印の情報を順次選択し、施行図の作成に反映していく。
【００６０】
携帯所持者が表示部１ａの選択肢画面（ク）から＊印で表す「四角」を選択すると、設計処理装置３は、電気室のおおよその形状を把握することが可能である。ここで、設計処理装置３は、既に登録されている高圧電気室１１の平面図画像を含む選択肢画像（ケ）を携帯通信機１の表示部１ａに表示する（図９参照）。携帯所持者は、現場の部屋や各壁等の長さを測量し、ａ，ｂ，ｃ，ｄ，Ｈに測量長さを入力し、作業続行を選択し、設計処理装置３に送信する。なお、高圧電気室１１の平面図画像の中に基準となる位置合わせポイントの経緯度情報があれば、携帯通信機１は、ＧＰＳ機能を用いて、位置合わせポイントの経緯度情報を決めた後、現場の部屋や各壁等の長さを測量する。このとき、必要に応じて撮影カメラ１ｃにより現場の画像を撮影し、現場の部屋や各壁等の測量長さａ，ｂ，ｃ，ｄ，Ｈとは別に、或いは同時に現場の撮影画像を設計処理装置３に送信する。
【００６１】
その結果、設計処理装置３は、ＣＡＤソフト８ｃを用いて、おおよその図面を作図し、携帯通信機１に送信し、表示部１ａに図１０に示す画面（ソ）を表示する。携帯所持者は、現場の部屋及び扉の各部Ｈｄ１，Ｗｄ１，Ｌ１１，…の長さを測量し、順次入力していき、さらに選択肢情報を選択し（Ｓ３６）、設計処理装置３に送信する。
【００６２】
設計処理装置３は、基準充足判定手段３１８を実行する。基準充足判定手段３１８は、部屋及び扉の各部Ｈｄ１，Ｗｄ１，Ｌ１１，…の寸法に対して判定必要有りと判断し、判定基準を満たすか判断する（Ｓ３８）。すなわち、各部屋壁の寸法と扉の寸法等とが互いに干渉するか等について判断する。
【００６３】
ここで、設計処理装置３は、部屋及び扉の各部Ｈｄ１，Ｗｄ１，Ｌ１１，…の長さが判定基準を満足したない場合には、回避策提示解決手段３２０を実行する。回避策提示解決手段３２０は、回避策の選択肢情報を携帯通信機１に提示し（Ｓ４１）、表示部１ａに表示する。例えば回避策の選択肢情報としては、例えば扉取付け位置変更／扉高さ寸法修正／扉幅寸法修正／その他である。このとき、携帯所持者が「その他」を選択したとき、携帯通信機１の操作部１ｂを操作し、必要な回避策の情報を入力する（Ｓ４２）。
【００６４】
設計処理装置３は、携帯通信機１からの選択内容を判断し（Ｓ４３）、「その他を」選択したと判断したとき（Ｓ４４）、その回避策の情報が社内ライブラリデータベース４に存在するか否かを判断する（Ｓ４５）。設計処理装置３は、社内ライブラリデータベース４に存在すれば、回避策の情報について判定基準を満足するか判断し（Ｓ３８）、社内ライブラリデータベース４に存在しない場合には、例えばライブラリナビソフト８ａ移行／手入力して後日修正／スキップして続行／その他の選択肢情報を携帯通信機１に提示し（Ｓ４６）、選択を促す。
【００６５】
設計処理装置３は、以上のようにして判定基準を満足したとき、社内ライブラリデータベース４に図１１に示すようにレイヤ構造で保存するとともに、ステップＳ３９，Ｓ４０を介してステップＳ３５に移行し、引き続き、携帯通信機１に選択肢情報を提示し、表示部１ａに選択肢画面（タ）〜（テ）を表示し、選択を促すが、既にライブラリナビソフト８ａの実行時に「製番「Ｔ１２３９８７」が登録されている場合には、既に当該製番に関する部品、電気設備、受電盤の情報が選択されているので、選択肢の選択処理を省略してもよい。つまり、既に選択された情報を取り込んで施行図の作成に反映する。
【００６６】
そして、盤名称の中から受電盤１２が特定されると、設計処理装置３は、受電盤外形、重量等に関する選択肢情報を携帯通信機１に提示し、例えば「幅」を選択し、幅寸法を入力し、引き続き、奥行、高さ、重量を選択し、該当寸法を入力し、作業続行を選択する。
【００６７】
設計処理装置３は、受電盤１２の外形寸法を受け取ると、判定基準を満足するか判断する（Ｓ３８）。この判断は、受電盤１２の外形寸法が少なくとも部屋各部の寸法内よりも小さいか、部屋内に配置できるか判断する。判定基準を満足すれば、作業続行に関する盤の位置／盤の方向／その他の選択肢情報を携帯通信機１に提示し、表示部１ａに選択肢画面（ナ）を表示する。ここで、盤の位置とは、受電盤１２の正面側扉位置と正面側扉右端を基準とし設置することを条件とする。
【００６８】
設計処理装置３は、既に受電盤１２の寸法が設定されているので、ＣＡＤソフト８ｃを用いて受電盤１２の図面を作成し、受電盤１２の図面とともに、受電盤１２のどの部分ａ／ｂ／ｃ／ｄの辺を選択肢とし、かつ、作図作業の選択肢とともに、携帯通信機１に提示し、表示部１ａに選択肢画面（ニ）を表示する。携帯所持者は、例えば「ａ」を選択し、ａから部屋壁までを測量して例えば１０００ｍｍを入力し、また「ｄ」を選択し、ｄから部屋壁までを測量して例えば２５００ｍｍを入力する。座標の２点の値を入力すれば、受電盤１２の位置を決定できる。携帯所持者は、「その他」を選択すると、設計処理装置３は、盤位置の指定終了と判断し、部屋内の受電盤１２の寸法を記入した図面を作成し、作図作業の選択肢とともに携帯通信機１に提示し、表示部１ａに画面（ヌ）を表示する。ここで、携帯所持者は、表示画面（ヌ）に間違いが無いか否かを確認し、間違いが無い場合には「その他」を選択する。設計処理装置３は、「その他」を受信すると、終了と判断し、受電盤の設置画面（ニ）及び部屋内の受電盤設置画面（ヌ）のうち、少なくとも受電盤設置画面（ヌ）を社内ライブラリデータベース４にレイヤ構造で保存し、施行図の作成処理を終了する。
【００６９】
従って、以上のような実施の形態によれば、ライブラリナビソフト８ａ及び施行図の事前反映情報を社内ライブラリデータベース４に登録した後、携帯所持者が携帯通信機１を所持し、現場に出向いて、設計処理装置３に対してリモートアクセスし、デザインナビソフト８ｂを起動させる。そして、携帯通信機１は、設計処理装置３から反映項目の選択肢を受け、対話形式のもとに複数の選択肢の中から少なくとも１つの選択肢の選択を促す。設備の寸法に関する場合には、実際に現場で測量し、寸法を入力し、設計処理装置３に送信する。設計処理装置３は、選択された選択肢または入力された寸法が他の構造体、他の設備と干渉しないか否か等の判定基準を満たすか否かを判断し、判定基準を満たす場合には施行図の作成に反映する。判定基準を満たさない場合には、回避策の選択肢を携帯通信機１に提示し、複数の選択肢の中から少なくとも１つの選択肢の選択を促し、施行図の作成に順次反映させていく。
【００７０】
よって、携帯所持者が実際の現場で寸法を測量しつつ判定基準を満たすか否かを判断しつつ施行図の作成に反映させていくので、情報の落ち込みや情報不足などによって情報収集が十分でないといった問題を解決できるる。また、施行図と実際の現場状況とが符合し、後日再度手直しするとか、他の行程に不要な後戻り作業が発生することがない。従って、施行図等を速やかに作成可能である。
【００７１】
（その他の実施の形態）
（１）  なお、上記実施の形態は、新規に受電盤１２の施行図を作成する例であるために、前記施行図を作成するために必要な建築図、機械図或いは同業他社の作成した既存図面（ケ）、（ソ）を提示したが、例えば既存の図面から新たな建築物の施行図を作成する場合、当該建築図、機械図或いは同業他社の作成した既存図面を利用し、携帯所持者が現場で測量を進めながら携帯通信機1から既存図面の寸法を修正しつつ、新たな建築物の施行図を作成することも容易に可能である。
【００７２】
（２）  設計処理装置３は、反映情報選択肢提示手段３１７によって前記携帯通信機から入力される測定長さの情報を受けたとき、前記ＣＡＤソフトを用いて、所要の図面を作成し、前記ライブラリデータベースに対して図１２に示すレイヤ構造により保存すれば、設備対象の施行図作成に対し、必要なレイヤの図面を読み出して携帯通信機1に提示し、有効に活用することが出来る。
【００７３】
（３）  また、上記実施の形態では、受電盤１２の施行図の作成について説明したが、前記携帯通信機１がＧＰＳ機能を持っているので、特に設備対象が建築物であるとき、前記設計処理装置３から既存図面及び当該既存図面に付加される基準ポイントの経緯度情報を携帯通信機1に提示すれば、携帯所持者は、携帯通信機１のＧＰＳ機能を用いて、基準ポイントの経緯度情報に位置合わせした後、所定の作業を進めることができ、現場にて正確に所要とする長さを測量できる。
【００７４】
（４）  また、上記実施の形態では、受電盤１２の施行図の作成について説明したが、例えば予め社内ライブラリデータベース４に各作業種の標準作業手順を登録しておけば、携帯所持者は、携帯通信機１を携行して現場に出向き、測定作業を進める際に設計処理装置３から順次該当作業種の標準作業手順に関する選択肢情報を受け取ることが出来る。これにより、携帯所持者は、標準作業手順との差異や新たに提案する手順を加えつつ、現場の状況に合わせた最適な作業手順，つまり作業要領書を作成でき、さらに必要に応じて作業上注意を必要とする場合には音声情報を組み入れた作業要領書を作成することも可能である。
【００７５】
その他、本発明は、上記実施の形態に限定されるものでなく、その要旨を逸脱しない範囲で種々変形して実施できる。
【図面の簡単な説明】
【００７６】
【図１】本発明に係るリモートナビゲーションシステムを示す全体構成図。
【図２】ライブラリナビソフトを用いて実現する設計処理装置の機能ブロック図。
【図３】デザインナビソフトを用いて実現する設計処理装置の機能ブロック図。
【図４】照明器具Ａ１及び照明分電盤Ｌ１などの付帯設備を明記した高圧電気室内に受電盤を配置する例を示す図。
【図５】照明器具Ａ１及び照明分電盤Ｌ１などの付帯設備を明記した高圧電気室内に受電盤その他の部品（継電器盤，変圧器盤）を配置する例を示す図。
【図６】本発明に係るリモートナビゲーションシステムにおけるライブラリナビソフトによる一連の処理手順を示す図。
【図７】本発明に係るリモートナビゲーションシステムにおけるデザインナビソフトによる一連の処理手順を示す図。
【図８】リモートナビゲーションシステムにおけるデザインナビソフトの実行時に設計処理装置から携帯通信機に提示される選択肢情報等の画面を示す図。
【図９】リモートナビゲーションシステムにおけるデザインナビソフトの実行時に設計処理装置から携帯通信機に提示される前記図８に続く選択肢情報等の画面を示す図。
【図１０】リモートナビゲーションシステムにおけるデザインナビソフトの実行時に設計処理装置から携帯通信機に提示される前記図９に続く選択肢情報等の画面を示す図。
【図１１】リモートナビゲーションシステムにおけるデザインナビソフトの実行時に設計処理装置から携帯通信機に提示される前記図１０に続く選択肢情報等の画面を示す図。
【図１２】設計処理装置で対象設備や作業種ごとに作成される図面をレイヤ構造で保存管理する例図。
【符号の説明】
【００７７】
１…携帯通信機、１ａ…表示部、１ｂ…操作部、１ｃ…撮影カメラ、２…通信ネットワーク、３…設計処理装置、４…社内ライブラリデータベース、５…社内サーバ、６…社内共有データベース、７ａ，７ｂ、…，７ｎ…社外データベース、８…記憶装置、８ａ…ラリナビソフト、８ｂ…デザインナビソフト、８ｃ…ＣＡＤソフト、８ｄ…登録情報提示項目順序テーブル、８ｅ…反映情報項目順序テーブル、３１０…登録情報選択肢提示手段、３１１…ライブラリ有無判断手段、３１２…登録手段、３１３…入力種別判断手段、３１４…検索処理手段、３１５…手入力方法提示手段、３１６…入力ミスチェック手段、３１７…反映情報選択肢提示手段、３１８…基準充足判定手段、３１９…施行図反映手段、３２０…回避策提示解決手段。
【図１】
2008140025.tif 000003
【図２】
2008140025.tif 000004
【図３】
2008140025.tif 000005
【図４】
2008140025.tif 000006
【図５】
2008140025.tif 000007
【図６】
2008140025.tif 000008
【図７】
2008140025.tif 000009
【図８】
2008140025.tif 000010
【図９】
2008140025.tif 000011
【図１０】
2008140025.tif 000012
【図１１】
2008140025.tif 000013
【図１２】
2008140025.tif 000014